(57)【要約】【課題】主回路配線と信号線についての配線の設計・施行を独立して実施可能な制御盤のダクト配設構造を提供する。【解決手段】略直方体形状のボックス１と、略矩形の基板２面上に電気機器を備えて前記ボックス１の背面内側に縦方向に配設される複数の内器ユニット３と、前記ボックス１の片側の側面内側に縦方向に配設される主回路配線７ａと、前記ボックス1の反対側の側面内側に縦方向に配設される２次側配線８ａと、前記内器ユニット３ごとに横方向に配設される横ダクト１６と、を有する制御盤において、前記基板２面上にダクト架台１２を設け、前記ダクト架台１２に前記基板２の縦方向の長さと略同じ長さを有して縦方向に配設される縦ダクト１１を取り付けることで、前記基板面と前記縦ダクトとの間に配線間隔を形成し、前記縦ダクト１１に信号線８を収納し、前記配線間隔に前記主回路配線７を通して配線してなることを特徴とする制御盤のダクト配設構造。【選択図】  図１
2004208369.tif 000002
【特許請求の範囲】
【請求項１】
略直方体形状のボックスと、略矩形の基板面上に電気機器を備えて前記ボックスの背面内側に縦方向に配設される複数の内器ユニットと、前記ボックスの片側の側面内側に縦方向に配設される主回路配線と、前記ボックスの反対側の側面内側に縦方向に配設される２次側配線と、前記内器ユニットごとに横方向に配設される横ダクトと、を有する制御盤において、前記基板面上にダクト架台を設け、前記ダクト架台に前記基板の縦方向の長さと略同じ長さを有して縦方向に配設される縦ダクトを取り付けることで、前記基板面と前記縦ダクトとの間に配線間隔を形成し、前記縦ダクトに信号線を収納し、前記配線間隔に前記主回路配線を通して配線してなることを特徴とする制御盤のダクト配設構造。
【請求項２】
前記縦ダクトの側面に前記信号線を引き出すことのできる側面孔を設けてなることを特徴とする請求項１記載の制御盤のダクト配設構造。
【請求項３】
前記基板面と前記縦ダクトとの間に通して配線される前記主回路配線を前記ダクト架台で保持してなることを特徴とする請求項１又請求項２記載の制御盤のダクト配設構造。
【請求項４】
前記縦ダクトは縦ダクト本体と縦ダクト蓋を有し、前記縦ダクト蓋は、複数の前記縦ダクト本体にまたがって開口部を覆うものであることを特徴とする請求項１乃至請求項３記載の制御盤のダクト配設構造。
【発明の詳細な説明】
【０００１】
【発明の属する技術分野】
本発明は、ボックスの内部に内器ユニット、各種配線、各種ダクトを備えた制御盤のダクト配設構造に関するものである。
【０００２】
【従来の技術】
ボックスの内部に各種の開閉器、保護装置、計測器や各種配線等を備えた制御盤では、ダクトを設けて、複数の配線を収納することで、整然とした配線構造にしている。従来の制御盤では、特開平５−２８４６１３号公報や実開平２−７５９０５号公報に開示されているように、ボックスの内部に、縦方向に縦ダクトが、横方向に横ダクトが配設されている。
【０００３】
この種の制御盤の一例を図６〜８に示す。図６は、従来の制御盤の内部構成を示す前面図で、図７は、従来の制御盤の内部構成の主要部を示す前面図で、図８は、従来の制御盤の内部構成を示す断面図である。この制御盤では、ボックス１の右側面の内側は、主回路配線７ａを配設する主回路配線スペース４とし、ボックスの左側面の内側は、負荷又は他の盤への２次側電源線９や信号線８ａ等の２次側配線を配設する２次側配線スペース６としている。また、主回路配線スペース４には、主回路配線用縦ダクト５を取り付けて、主回路配線７ａを収納している。また、横ダクト１６に信号線８が主として収納されて、制御ユニット２６等と制御信号端子台２５等とを接続している。
【０００４】
【特許文献１】
特開平５−２８４６１３号公報（第２−３頁、図１）
【０００５】
【特許文献２】
実開平２−７５９０５号公報（第１頁、図１）
【０００６】
【発明が解決しようとする課題】
図６〜８に示す制御盤では、信号線８が横ダクト１６から引き出されて、制御信号端子台２５に接続されるまでの間のスペースＡにおいては、信号線８を支持する物体がない。また、サーマルリレー２３と負荷接続端子台２４とを接続する主回路配線７も同じスペースＡを通っている。このために、主回路配線と信号線についての配線の設計・施行を独立して実施することができず、作業効率が低下することもあった。
【０００７】
本発明は、かかる事由に鑑みてなしたもので、その目的とするところは、主回路配線と信号線についての配線の設計・施行を独立して実施可能な制御盤のダクト配設構造を提供することにある。
【０００８】
【課題を解決するための手段】
請求項１に係る発明の制御盤のダクト配設構造は、略直方体形状のボックスと、略矩形の基板面上に電気機器を備えて前記ボックスの背面内側に縦方向に配設される複数の内器ユニットと、前記ボックスの片側の側面内側に縦方向に配設される主回路配線と、前記ボックスの反対側の側面内側に縦方向に配設される２次側配線と、前記内器ユニットごとに横方向に配設される横ダクトと、を有する制御盤において、前記基板面上にダクト架台を設け、前記ダクト架台に前記基板の縦方向の長さと略同じ長さを有して縦方向に配設される縦ダクトを取り付けることで、前記基板面と前記縦ダクトとの間に配線間隔を形成し、前記縦ダクトに信号線を収納し、前記配線間隔に前記主回路配線を通して配線してなることを特徴としている。
【０００９】
請求項２に係る発明の制御盤のダクト配設構造は、請求項１の構成において、前記縦ダクトの側面に前記信号線を引き出すことのできる側面孔を設けてなることを特徴としている。
【００１０】
請求項３に係る発明の制御盤のダクト配設構造は、請求項１又は請求項２の構成において、前記基板面と前記縦ダクトとの間に通して配線される前記主回路配線を前記ダクト架台で保持してなることを特徴としている。
【００１１】
請求項４に係る発明の制御盤のダクト配設構造は、請求項１乃至請求項３の構成において、前記縦ダクトは縦ダクト本体と縦ダクト蓋を有し、前記縦ダクト蓋は、複数の前記縦ダクト本体にまたがって開口部を覆うものであることを特徴としている。
【００１２】
【発明の実施の形態】
本実施形態に係る制御盤のダクト配設構造を、図１〜５に基づいて説明する。図１は、本実施形態の制御盤の内部構成を示す前面図で、図２は、制御盤の内部構成の主要部分である内器ユニットを示す前面図で、図３は、制御盤の内部構成を示す断面図で、図４は、制御盤の内部構成の主要部を示す斜視図で、図５は、制御盤の扉を閉めた状態での前面図である。
【００１３】
１は、ボックスで、金属板を折り曲げて略直方体形状としたものである。図１は、扉を開けた状態を示していて、図５は扉を閉めた状態を示している。
【００１４】
３は、内器ユニットで、図２に示すように、矩形の基板２面上に、各種電気機器として、分岐ブレーカ２１、電磁接触器２２、サーマルリレー２３、負荷接続端子台２４、制御信号端子台２５、制御ユニット２６、補助リレー２７が取りつけられ、配線及びその付属品として、主回路配線７、信号線８、ダクト架台１２、縦ダクト１１、横ダクト１６とが取付けられている。また、内器ユニット３は、ボックス１の背面内側に縦方向に取り付けられたコ字状の２本のフレーム１０に、縦方向に並設して橋架されている。
【００１５】
また、ボックス１内部であって、内器ユニット３が配設されているスペースの縦方向上側のスペースには、電気機器として、トランス３１、主幹端子台３２、配線用遮断器３３が取り付けられている。
【００１６】
一方、ボックス１の右側面の内側は、主回路配線７ａを配設する主回路配線スペース４となっている。ここには主回路配線用縦ダクト５が取り付けられていて、この内部に主回路配線７ａが収納されている。また、ボックスの左側面の内側は、負荷又は他の盤への２次側電源線９や信号線８ａ等の２次側配線を配設する２次側配線スペース６となっている。
【００１７】
そして、図５に示すように、ボックス１の前面に取り付けられている扉には、操作表示ユニット３５、通電表示灯３６、電流計３７が設置されていて、扉を閉めた状態で通電状態がわかるようになっている。
【００１８】
前述した内器ユニット３の主回路配線７と信号線８は、図２に示すように、基板２面上を実質的に横方向に配線されている。ここで、主回路配線７と信号線８とは、両者は性質上、分離して配設した方が便利である。まず、主回路配線７は、主回路配線用縦ダクト５から引き出されて、分岐ブレーカ２１、電磁接触器２２、サーマルリレー２３、負荷接続端子台２４といった電気機器に接続されて、２次側配線スペース６へと配線されている。また、信号線８は、制御ユニット２６等から引き出されて、横ダクト１６及び縦ダクト１１を通って、制御信号端子台２５等に接続されて、２次側配線スペース６へと配線されている。ここで、縦ダクト１１は、図４に示すように、縦ダクト本体１３と縦ダクト蓋１４とからなり、ダクト架台１２を介して基板２の面上に取り付けている。ダクト架台１２は、略コ字状をした金具であり、基板２の面上に２個固定されていて、縦ダクト本体１３を保持している。また、縦ダクト本体１３は、断面形状がコ字状であり、側面には矩形の側面孔１５が複数開けられている。横ダクト１６から引き出されて縦ダクト本体１３に通された信号線８は、この側面孔１５から出て、制御信号端子台２５に接続される。つまり、通信線８は、縦ダクト本体１３の側面の適当な場所から、電気機器へと引き出すことができる。一方、主回路配線７で、サーマルリレー２３と負荷接続端子台２４とを接続している部分は、縦ダクト本体１３と基板２との間の配線間隔を通っていて、ダクト架台１２に取り付けられているインシュロック１７で保持されている。この結果として、主回路配線７と信号線８とは、立体的に分離され、両者が接触しない構造となっている。また、それぞれの内器ユニット３に取り付けられている縦ダクト本体１３は、ボックス１の内部で横方向で同じ場所に取り付けられていて、１個ですべての開口部を覆う縦ダクト蓋１４が取り付けられる。
【００１９】
本実施形態では、主回路配線７と信号線８とが立体的に分離しているので、それぞれの配線の設計・施行を独立に実施することができる。さらに、主回路配線７は、ダクト架台１２に取り付けられているインシュロック１７で固定されていて、信号線８の大部分は、横ダクト１６と縦ダクト１１の内部に収納されているので、整然とした配線構造とすることができる。以上のことから、制御盤の設計および盤製作が容易となり、製作現場での作業効率が向上する。また、それぞれの内器ユニット３で用いられる縦ダクト１１の長さは一定であるので、規格品として多数作成することが可能となる。そして、予め内器ユニット３に組み込んでおくことができるので、製作組立て現場の作業が効率化できる。
【００２０】
さらに、主回路配線７と信号線８との間に一定の距離を確保できるので、信号線８へのノイズの影響も低減する効果がある。また、本実施形態では、新たに設けた縦ダクト１１は、従来の制御盤ではデッドスペースであった空間を利用しているので、制御盤を大きくすることなしに、前述した効果を得ることができる。
【００２１】
あわせて、前記縦ダクト蓋１４は縦方向に複数の縦ダクト本体１３の開口部を覆うように取りつけられるので、制御盤の扉を開けた状態での見栄えが良くなり、部品点数を削減することができる。
【００２２】
【発明の効果】
請求項１に係る制御盤のダクト配設構造は、略直方体形状のボックスと、略矩形の基板面上に電気機器を備えて前記ボックスの背面内側に縦方向に配設される複数の内器ユニットと、前記ボックスの片側の側面内側に縦方向に配設される主回路配線と、前記ボックスの反対側の側面内側に縦方向に配設される２次側配線と、前記内器ユニットごとに横方向に配設される横ダクトと、を有する制御盤において、前記基板面上にダクト架台を設け、前記ダクト架台に前記基板の縦方向の長さと略同じ長さを有して縦方向に配設される縦ダクトを取り付けることで、前記基板面と前記縦ダクトとの間に配線間隔を形成し、前記縦ダクトに信号線を収納し、前記配線間隔に前記主回路配線を通して配線してなることを特徴としているので、主回路配線と信号線とが立体的に分離している。この結果として、それぞれの配線の設計および盤製作を独立に実施することができ、製作現場での作業性が向上する。
【００２３】
請求項２に係る制御盤のダクト配設構造は、請求項1記載の構成において、前記縦ダクトの側面に前記信号線を引き出すことのできる側面孔を設けてなることを特徴としているので、請求項１記記載の効果に加えて、通信線を前記縦ダクトの側面の適当な場所から、電気機器へと引き出すことができる。
【００２４】
請求項３に係る制御盤のダクト配設構造は、請求項1記載又は請求項２の構成において、前記基板面と前記縦ダクトとの間に通して配線される前記主回路配線を前記ダクト架台で保持してなることを特徴としているので、請求項１記載又は請求項２の効果に加えて、主回路配線が安定となり、信頼性が向上する。
【００２５】
請求項４に係る制御盤のダクト配設構造は、前記縦ダクトは縦ダクト本体と縦ダクト蓋を有し、前記縦ダクト蓋は、複数の前記縦ダクト本体にまたがって開口部を覆うものであることを特徴としているので、請求項１記載乃至請求項３の効果に加えて、制御盤の扉を開けた状態での見栄えが良くなり、部品点数を削減することができる。
【図面の簡単な説明】
【図１】実施形態に係る制御盤の内部構成を示す前面図である。
【図２】実施形態に係る制御盤の内部構成の主要部分を示す前面図である。
【図３】実施形態に係る制御盤の内部構成を示す断面図である。
【図４】実施形態に係る制御盤の内部構成の主要部を示す斜視図である。
【図５】実施形態に係る制御盤の扉を閉めた状態での前面図である。
【図６】従来の制御盤の内部構成を示す前面図である。
【図７】従来の制御盤の内部構成の主要部分を示す前面図である。
【図８】従来の制御盤の内部構成を示す断面図である。
【符号の説明】
１        ボックス
２        基板
３        内器ユニット
４        主回路配線スペース
５        主回路配線用縦ダクト
６        ２次側配線スペース
７、７ａ  主回路配線
８、８ａ  信号線
９        ２次側電源線
１０      フレーム
１１      縦ダクト
１２      ダクト架台
１３      縦ダクト本体
１４      縦ダクト蓋
１５      側面孔
１６      横ダクト
１７      インシュロック
２１      分岐ブレーカ
２２      電磁接触器
２３      サーマルリレー
２４      負荷接続端子台
２５      制御信号端子台
２６      制御ユニット
２７      補助リレー
３１      トランス
３２      主幹端子台
３３      配線用遮断器
３５      操作表示ユニット
３６      通電表示灯
３７      電流計
【図１】
2004208369.tif 000003
【図２】
2004208369.tif 000004
【図３】
2004208369.tif 000005
【図４】
2004208369.tif 000006
【図５】
2004208369.tif 000007
【図６】
2004208369.tif 000008
【図７】
2004208369.tif 000009
【図８】
2004208369.tif 000010